【手続補正書】
【提出日】平成19年4月3日(2007.4.3)
【手続補正１】
【補正対象書類名】明細書
【補正対象項目名】特許請求の範囲
【補正方法】変更
【補正の内容】
【特許請求の範囲】
【請求項１】  電子写真装置本体に着脱自在であるプロセスカートリッジであって、
トナーの画像を担持するための電子写真感光体と、
該電子写真感光体と当接部を形成しうる中間転写ベルトと、
該当接部にて該電子写真感光体から該中間転写ベルトへ該トナーの画像を一次転写するための一次転写手段と、
該中間転写ベルト上のトナーを該当接部にて該電子写真感光体に戻して該中間転写ベルトをクリーニングするために、該中間転写ベルト上のトナーに該一次転写時のトナーの極性と逆の極性の電荷を付与するためのローラー形状の電荷付与手段と
を一体に支持し、
該中間転写ベルトが樹脂を含有するエンドレスベルトであり、
該ローラー形状の電荷付与手段に印加される電圧が交流電圧が重畳された直流電圧であり、
該トナーの形状係数ＳＦ−１の値が１００以上１５０以下であり、
該トナーの形状係数ＳＦ−２の値が１００以上１４０以下であり、
該ローラー形状の電荷付与手段のアスカーＣ硬度が５度以上７０度未満であり、
該中間転写ベルトの表面粗さＲｚと該ローラー形状の電荷付与手段の表面粗さＲｚの和が５０μｍ以下であり、
該中間転写ベルトの表面粗さＲｚの値Ａとトナーの平均粒径Ｄｔとが下記関係式を満たす
Ａ＜Ｄｔ／２
ことを特徴とするプロセスカートリッジ。
【請求項２】  前記電子写真感光体と、前記中間転写ベルトと、前記一次転写手段と、前記ローラー形状の電荷付与手段と、さらに該電子写真感光体をクリーニングするための電子写真感光体クリーニング手段とを一体に支持し、
該電子写真感光体を有する電子写真感光体ユニットと該中間転写ベルトを有する中間転写ベルトユニットとに分離可能であり、
該電子写真感光体ユニットと該中間転写ベルトユニットとを連結する連結手段を有する請求項１に記載のプロセスカートリッジ。
【請求項３】  前記電子写真感光体クリーニング手段が弾性ブレードを用いたブレードクリーニング手段である請求項２に記載のプロセスカートリッジ。
【請求項４】  前記中間転写ベルトが含有する樹脂が熱可塑性樹脂である請求項１〜３のいずれかに記載のプロセスカートリッジ。
【請求項５】  前記ローラー形状の電荷付与手段が前記中間転写ベルトに対して接離可能であり、前記残留トナーを帯電する時に、前記ローラー形状の電荷付与手段が前記中間転写ベルトに当接する請求項１〜４のいずれかに記載のプロセスカートリッジ。
【請求項６】  前記中間転写ベルトの体積抵抗率が１０４Ω・ｃｍ以上１０１２Ω・ｃｍ以下であり、前記中間転写ベルトの肉厚が４０μｍ以上３００μｍ以下である請求項１〜５のいずれかに記載のプロセスカートリッジ。
【請求項７】  トナーの画像を担持するための電子写真感光体と、
該電子写真感光体を帯電するための帯電手段と、
該帯電手段によって帯電された電子写真感光体に静電潜像を形成するための露光手段と、
該露光手段によって形成された電子写真感光体の静電潜像をトナーにより現像し、電子写真感光体にトナーの画像を形成するための現像手段と、
該電子写真感光体から該トナーの画像が一次転写された後に転写されたトナーの画像を転写材に二次転写するための、該電子写真感光体との当接部を有する中間転写ベルトと、
該当接部にて該電子写真感光体から該中間転写ベルトへ該トナーの画像を一次転写するための一次転写手段と、
該中間転写ベルト上のトナーを該当接部にて該電子写真感光体に戻して該中間転写ベルトをクリーニングするために、該中間転写ベルト上のトナーに該一次転写時のトナーの極性と逆の極性の電荷を付与するためのローラー形状の電荷付与手段と
を有し、
少なくとも該電子写真感光体と、該中間転写ベルトと、該一次転写手段と、該ローラー形状の電荷付与手段とを一体に支持し、電子写真装置本体に着脱自在であるプロセスカートリッジを有し、
該中間転写ベルトが樹脂を含有するエンドレスベルトであり、
該ローラー形状の電荷付与手段に印加される電圧が交流電圧が重畳された直流電圧であり、
該トナーの形状係数ＳＦ−１の値が１００以上１５０以下であり、
該トナーの形状係数ＳＦ−２の値が１００以上１４０以下であり、
該ローラー形状の電荷付与手段のアスカーＣ硬度が５度以上７０度未満であり、
該中間転写ベルトの表面粗さＲｚと該ローラー形状の電荷付与手段の表面粗さＲｚの和が５０μｍ以下であり、
該中間転写ベルトの表面粗さＲｚの値Ａとトナーの平均粒径Ｄｔとが下記関係式を満たす
Ａ＜Ｄｔ／２
ことを特徴とする電子写真装置。
【請求項８】  前記プロセスカートリッジが、前記電子写真感光体と、前記中間転写ベルトと、前記一次転写手段と、前記ローラー形状の電荷付与手段と、さらに該電子写真感光体をクリーニングするための電子写真感光体クリーニング手段とを一体に支持し、
該プロセスカートリッジが、該電子写真感光体を有する電子写真感光体ユニットと該中間転写ベルトを有する中間転写ベルトユニットとに分離可能であり、該電子写真感光体ユニットと該中間転写ベルトユニットとを連結する連結手段を有する請求項７に記載の電子写真装置。
【請求項９】  前記電子写真感光体クリーニング手段が弾性ブレードを用いたブレードクリーニング手段である請求項８に記載の電子写真装置。
【請求項１０】  前記中間転写ベルトが含有する樹脂が熱可塑性樹脂である請求項７〜９のいずれかに記載の電子写真装置。
【請求項１１】  前記ローラー形状の電荷付与手段が前記中間転写ベルトに対して接離可能であり、前記残留トナーを帯電する時に、前記ローラー形状の電荷付与手段が前記中間転写ベルトに当接する請求項７〜１０のいずれかに記載の電子写真装置。
【請求項１２】  前記中間転写ベルトの体積抵抗率が１０４Ω・ｃｍ以上１０１２Ω・ｃｍ以下であり、前記中間転写ベルトの肉厚が４０μｍ以上３００μｍ以下である請求項７〜１１のいずれかに記載の電子写真装置。
【請求項１３】  電子写真感光体を帯電する帯電工程と、
該帯電工程で帯電された電子写真感光体に静電潜像を形成する露光工程と、
該露光工程で形成された電子写真感光体の静電潜像をトナーにより現像し、電子写真感光体にトナーの画像を形成する現像工程と、
一次転写手段によって、該現像工程で形成された該トナーの画像を、該電子写真感光体から該電子写真感光体との当接部を有する中間転写ベルトに一次転写する一次転写工程と、
該一次転写工程で一次転写された該トナーの画像を転写材に二次転写する二次転写工程と、
ローラー形状の電荷付与手段によって、該中間転写ベルト上のトナーに該一次転写工程時のトナーの極性と逆の極性の電荷を付与する電荷付与工程と、
該中間転写ベルト上のトナーを該当接部にて該電子写真感光体に戻して該中間転写ベルトをクリーニングする中間転写ベルトクリーニング工程と、
を有する画像形成方法であって、
少なくとも該電子写真感光体と、該中間転写ベルトと、該一次転写手段と、該ローラー形状の電荷付与手段とを一体に支持し、電子写真装置本体に着脱自在であるプロセスカートリッジを有する電子写真装置を用いた画像形成方法であって、
該電荷付与工程において該ローラー形状の電荷付与手段に交流電圧が重畳された直流電圧を印加する工程を有し、
該電荷付与工程が、交流電圧が重畳された直流電圧を印加されたローラー形状の電荷付与手段によって、該中間転写ベルト上のトナーに該一次転写工程時のトナーの極性と逆の極性の電荷を付与する工程であり、
該中間転写ベルトが樹脂を含有するエンドレスベルトであり、
該トナーの形状係数ＳＦ−１の値が１００以上１５０以下であり、
該トナーの形状係数ＳＦ−２の値が１００以上１４０以下であり、
該ローラー形状の電荷付与手段のアスカーＣ硬度が５度以上７０度未満であり、
該中間転写ベルトの表面粗さＲｚと該ローラー形状の電荷付与手段の表面粗さＲｚの和が５０μｍ以下であり、
該中間転写ベルトの表面粗さＲｚの値Ａとトナーの平均粒径Ｄｔとが下記関係式を満たす
Ａ＜Ｄｔ／２
ことを特徴とする画像形成方法。
【請求項１４】  前記中間転写ベルトクリーニング工程の後に前記電子写真感光体をクリーニングする電子写真感光体クリーニング工程をさらに有し、
前記プロセスカートリッジが、前記電子写真感光体と、前記中間転写ベルトと、前記一次転写手段と、前記ローラー形状の電荷付与手段と、さらに該電子写真感光体をクリーニングするための電子写真感光体クリーニング手段とを一体に支持し、
該プロセスカートリッジが、電子写真感光体を有する電子写真感光体ユニットと該中間転写ベルトを有する中間転写ベルトユニットとに分離可能であり、該電子写真感光体ユニットと該中間転写ベルトユニットとを連結する連結手段を有する請求項１３に記載の画像形成方法。
【請求項１５】  前記電子写真感光体クリーニング工程が弾性ブレードを用いたブレードクリーニング工程である請求項１４に記載の画像形成方法。
【請求項１６】  前記中間転写ベルトが含有する樹脂が熱可塑性樹脂である請求項１３〜１５のいずれかに記載の画像形成方法。
【請求項１７】  前記ローラー形状の電荷付与手段が前記中間転写ベルトに対して接離可能であり、前記残留トナーを帯電する時に、前記ローラー形状の電荷付与手段を前記中間転写ベルトに当接させる請求項１３〜１６のいずれかに記載の画像形成方法。
【請求項１８】  前記中間転写ベルトの体積抵抗率が１０４Ω・ｃｍ以上１０１２Ω・ｃｍ以下であり、前記中間転写ベルトの肉厚が４０μｍ以上３００μｍ以下である請求項１３〜１７のいずれかに記載の画像形成方法。
【請求項１９】  電子写真装置本体に着脱自在であるプロセスカートリッジ用の中間転写ベルトであって、
トナーの画像を担持するための電子写真感光体と、
該電子写真感光体と当接部を形成しうる中間転写ベルトと、
該当接部にて該電子写真感光体から該中間転写ベルトへ該トナーの画像を一次転写するための一次転写手段と、
該中間転写ベルト上のトナーを該当接部にて該電子写真感光体に戻して該中間転写ベルトをクリーニングするために、該中間転写ベルト上のトナーに該一次転写時のトナーの極性と逆の極性の電荷を付与するためのローラー形状の電荷付与手段と
を一体に支持するプロセスカートリッジ用の中間転写ベルトであって、
該ローラー形状の電荷付与手段に印加される電圧が交流電圧が重畳された直流電圧であり、
該ローラー形状の電荷付与手段のアスカーＣ硬度が５度以上７０度未満であり、
該トナーの形状係数ＳＦ−１の値が１００以上１５０以下であり、
該トナーの形状係数ＳＦ−２の値が１００以上１４０以下であり、
該中間転写ベルトの表面粗さＲｚと該ローラー形状の電荷付与手段の表面粗さＲｚの和が５０μｍ以下であり、
該中間転写ベルトの表面粗さＲｚの値Ａとトナーの平均粒径Ｄｔとが下記関係式を満たす
Ａ＜Ｄｔ／２
プロセスカートリッジ用の中間転写ベルトであって、
樹脂を含有するエンドレスベルトであることを特徴とする中間転写ベルト。